(57)【特許請求の範囲】
【請求項１】
モニタ画面上のステータス情報を取得するステータス判定システムにおいて、
前記モニタ画面をキャプチャして画像として連続的に取得する画像取得手段と、
前記画像取得手段により取得された前記画像に対して、該画像がステータス情報を取得すべき画像であるか判定する画像判定手段と、
前記画像判定手段により前記画像がステータス情報を取得すべき画像と判定された場合に、該画像の特定ポイントの色彩情報を取得する色彩情報取得手段と、
前記色彩情報取得手段により取得された前記特定ポイントの色彩情報をステータス情報に変換するステータス変換手段と
を備え、
前記ステータス変換手段は、前記特定ポイントの色彩情報が前記連続的に取得した画像間で同一の場合に、前記色彩情報取得手段により取得された前記特定ポイントの色彩情報をステータス情報に変換することを特徴とするステータス判定システム。
【請求項２】
請求項１記載のステータス判定システムにおいて、
前記画像判定手段は、前記画像取得手段により取得された前記モニタ画面の画像に対して、予め座標位置として設定可能な特定除外ポイントの色彩情報を取得し、該特定除外ポイントの色彩情報に基づいて該画像がステータス情報を取得すべき画像であるか判定することを特徴とするステータス判定システム。
【請求項３】
請求項１または２記載のステータス判定システムにおいて、
前記色彩情報取得手段は、前記特定ポイントを座標位置として予め設定可能であって、該座標位置の特定色彩情報と該座標位置を取り囲む周辺座標の周辺色彩情報とを取得し、
前記ステータス変換手段は、前記特定色彩情報と前記周辺色彩情報とに基づいてステータス情報への変換を行うことを特徴とするステータス判定システム。
【請求項４】
請求項１記載のステータス判定システムにおいて、
前記画像取得手段により取得された前記モニタ画面の画像に対して、一定色数に変換するフィルタ処理を施した上で、予め座標位置として設定可能な特定除外ポイントおよび特定ポイントのぞれぞれの色彩情報と該座標位置を取り囲む周辺座標の周辺色彩情報とを取得し、該色彩情報と該周辺色彩情報とに基づいて該特定除外ポイントおよび該特定ポイントの色彩を決定する画像処理手段を備え、
前記画像判定手段は、前記画像処理手段により決定された特定除外ポイントの色彩に基づいて該画像がステータス情報を取得すべき画像であるか判定し、
前記ステータス変換手段は、前記画像処理手段により決定された特定ポイントの色彩に基づいてステータス情報への変換を行うことを特徴とするステータス判定システム。
【発明の詳細な説明】
【技術分野】
【０００１】
本発明は、モニタ画面上のステータス情報を取得するステータス判定システムに関する。
【背景技術】
【０００２】
従来、この種のステータス情報システムとしては、下記特許文献１に示すように、宿泊施設における各部屋の識別情報に対応してその部屋の利用状況に関する情報を記憶する部屋状況ファイルを設け、この部屋状況ファイルの記憶情報に基づいて部屋毎に空室，在室、予約済等の利用状況を決定し、カラーモニタ画面に各部屋の識別情報を列挙すると共に、各識別情報を個々に囲った枠内の色を異ならせてカラーモニタ画面に表示させるフロント業務処理装置が知られている。
【先行技術文献】
【特許文献】
【０００３】
【特許文献１】特開平１０−４０２９２号公報
【発明の概要】
【発明が解決しようとする課題】
【０００４】
ここで、従来のステータス情報システムでは、既にステータス情報が当該システムにおいて認識され、その情報がモニタ画面上に表示されている。そのため、敢えてモニタ画面上の特定の情報をステータス情報として取得したり、そのステータス状態を判定したりする必要はない。
【０００５】
しかしながら、モニタ画面上に表示されるだけであり、当該システムにおいては認識されていない情報（例えば、単に制御盤を撮像しただけのアナログ画面上の情報）や当該システムでは認識されていても他のシステムに伝達できない情報（例えば、インタフェイスを備えていないため他のシステムへ転送できない情報）も存在する。
【０００６】
そこで、本発明は、モニタ画面からその画面上のステータス情報を簡易かつ確実に取得することができるステータス判定システムを提供することを目的とする。
【課題を解決するための手段】
【０００７】
第１発明のステータス判定システムは、モニタ画面上のステータス情報を取得するステータス判定システムにおいて、
前記モニタ画面をキャプチャして画像として連続的に取得する画像取得手段と、
前記画像取得手段により取得された前記画像に対して、該画像がステータス情報を取得すべき画像であるか判定する画像判定手段と、
前記画像判定手段により前記画像がステータス情報を取得すべき画像と判定された場合に、該画像の特定ポイントの色彩情報を取得する色彩情報取得手段と、
前記色彩情報取得手段により取得された前記特定ポイントの色彩情報をステータス情報に変換するステータス変換手段と
を備え、
前記ステータス変換手段は、前記特定ポイントの色彩情報が前記連続的に取得した画像間で同一の場合に、前記色彩情報取得手段により取得された前記特定ポイントの色彩情報をステータス情報に変換することを特徴とする。 
【０００８】
第１発明のステータス判定システムによれば、画像取得手段が、モニタ画面をキャプチャして画像として取得する。これにより、モニタ画面に表示されるものであれば、すべて画像として取得可能となるため、モニタ画面に表示されるだけで、当該システムにおいては認識されていない情報や当該システムでは認識されていても他のシステムに伝達できない情報も、（その画像上の意味はひとまず不明でも）画像として取得される。
【０００９】
ここで、取得された画像には、種々のものが含まれ得る。例えば、モニタ画面上には、ステータス判定を行うべき画面のほか、他の操作画面などが表示される。そこで、画像判定手段により、取得された画像がステータス情報を取得すべき画像であるか判定することで、ステータス判定を行うべき画像を特定することができる。
【００１０】
そして、ステータス判定を行うべき画像である場合に、取得した画像の特定ポイント（モニタ画面の特定ポイントと同じ）の色彩情報を取得し、その色彩情報をステータス情報に変換することで、モニタ画面上に表示された画像からステータス情報を簡易かつ確実に取得することができる。
【００１１】
このように、第１発明のステータス判定システムによれば、モニタ画面からその画面上のステータス情報を簡易かつ確実に取得することができる。
【００１２】
第２発明のステータス判定システムは、第１発明において、
前記画像判定手段は、前記画像取得手段により取得された前記モニタ画面の画像に対して、予め座標位置として設定可能な特定除外ポイントの色彩情報を取得し、該特定除外ポイントの色彩情報に基づいて該画像がステータス情報を取得すべき画像であるか判定することを特徴とする。
【００１３】
第２発明のステータス判定システムによれば、画像判定手段は、例えば、モニタ画面上に表示される他の操作画面等に特徴的な特定除外ポイントが画像上で予め設定可能に構成され、かかる特定除外ポイントの色彩情報を取得する。そして、特定除外ポイントの色彩情報に基づいて、当該モニタ画面の画像がステータス情報を取得すべき画像であるか判定することで、ステータス判定を行うべき画像を簡易かつ確実に特定することができる。
【００１４】
このように、第２発明のステータス判定システムによれば、モニタ画面の画像がステータス情報を取得すべき画像であるかを簡易かつ確実に判定することができ、ひいてはモニタ画面からその画面上のステータス情報を簡易かつ確実に取得することができる。
【００１５】
第３発明のステータス判定システムは、第１または第２発明において、
前記色彩情報取得手段は、前記特定ポイントを座標位置として予め設定可能であって、該座標位置の特定色彩情報と該座標位置を取り囲む周辺座標の周辺色彩情報とを取得し、
前記ステータス変換手段は、前記特定色彩情報と前記周辺色彩情報とに基づいてステータス情報への変換を行うことを特徴とする。
【００１６】
第３発明のステータス判定システムによれば、予め設定した特定ポイントの座標位置の特定色彩情報のみならず、これを取り囲む周辺座標の周辺色彩情報を取得して、特定色彩情報と前記周辺色彩情報とに基づいてステータス情報への変換を行うことで、例えばアナログ画面等で生じる色にじみがあっても、周辺色彩情報で補完して確実にステータス情報への変換を行うことができる。
【００１７】
このように、第３発明のステータス判定システムによれば、モニタ画面から確実にステータス情報への変換を行うことができ、モニタ画面からその画面上のステータス情報を簡易かつ確実に取得することができる。
【００１８】
第４発明のステータス判定システムは、第１発明において、
前記画像取得手段により取得された前記モニタ画面の画像に対して、一定色数に変換するフィルタ処理を施した上で、予め座標位置として設定可能な特定除外ポイントおよび特定ポイントのぞれぞれの色彩情報と該座標位置を取り囲む周辺座標の周辺色彩情報とを取得し、該色彩情報と該周辺色彩情報とに基づいて該特定除外ポイントおよび該特定ポイントの色彩を決定する画像処理手段を備え、
前記画像判定手段は、前記画像処理手段により決定された特定除外ポイントの色彩に基づいて該画像がステータス情報を取得すべき画像であるか判定し、
前記ステータス変換手段は、前記画像処理手段により決定された特定ポイントの色彩に基づいてステータス情報への変換を行うことを特徴とする。
【００１９】
第４発明のステータス判定システムによれば、画像処理手段により、画像取得手段により取得されたモニタ画面の画像に対して、予め、（１）一定色数に変換するフィルタ処理を施し、（２）座標位置として設定可能な特定除外ポイントおよび特定ポイントのぞれぞれの色彩情報と該座標位置を取り囲む周辺座標の周辺色彩情報とを取得して、色彩情報と周辺色彩情報とに基づいて特定除外ポイントおよび該特定ポイントの色彩とすることで、一括処理による処理効率の向上を実現しつつ、画像判定手段による画像判定処理およびステータス変換手段によるステータス変換処理の精度を高めることができる。
【００２０】
このように、第４発明のステータス判定システムによれば、高効率かつ高精度で、モニタ画面からその画面上のステータス情報を簡易かつ確実に取得することができる。
【図面の簡単な説明】
【００２１】
【図１】本実施形態のステータス判定システムの概要を示すシステム構成図。
【図２】図１のステータス判定システムにおける処理内容を示すフローチャート。
【図３】図１のステータス判定システムにおける処理内容を示す説明図。
【発明を実施するための形態】
【００２２】
図１に示すように、本実施形態のステータス判定システム１は、モニタＸ画面上のステータス情報を取得するシステムであって、画像取得手段１０と、画像処理手段１５と、画像判定手段２０と、色彩情報取得手段３０と、ステータス変換手段４０と、ステータス情報送信手段５０とを備える。
【００２３】
判定対象となるモニタＸの画面は、例えば、宿泊施設におけるフロントコンピュータＹの画面であって、例えば、画面上には、部屋毎に区画された領域に『在室』，『空室』，『清掃』，『予約』等が色分けして表示される（図３参照）。
【００２４】
画像取得手段１０は、アダプタ装置Ｗを介して、モニタＸ上の画面をキャプチャして取得する。アダプタ装置Ｗは、フロントコンピュータＹとそのモニタＸとを接続するモニタケーブル（ＶＧＡケーブル）Ｚのアナログ画像信号を一定の周期でサンプリングした画像データとしてステータス判定システム１に出力する。
【００２５】
アダプタ装置Ｗは、例えば、ＶＧＡビデオキャプチャーボードのほか、ビデオキャプチャーボートと併せてＶＧＡ分配ケーブルとしての機能を備えていてもよい。また、アダプタ装置Ｗは、ＶＧＡケーブルからのビデオキャプチャーに限られるものではなく、ビデオ（Ｓ-Video方式またはcomposite方式）入出力ケーブルからキャプチャを行うビデオキャプチャーボード、デジタルディスプレイ用のＤＶＩキャプチャーボード、業務用ビデオや防犯カメラ用のＳＤＩキャプチャーボード、映像機器一般のＨＤＭＩ（登録商標）キャプチャーボード等であってもよい。
【００２６】
画像処理手段１５は、アダプタ装置Ｗを介して取得したキャプチャ画像（実際には、所定の周期で出力される各キャプチャ画像）に対して、フィルタ処理を施す。
【００２７】
フィルタ処理は、例えば、ＲＧＢＡ変換であって、キャプチャ画像を特定の色数による画像に変換する。なお、フィルタ処理は、ＲＧＢＡ変換の他、色数の少ないＰＮＧ変換等であってもよい。
【００２８】
画像判定手段２０は、画像処理手段１５によりフィルタ処理が施されたキャプチャ画像がステータス情報を取得すべき画面であるか判定する。
【００２９】
具体的に、画像判定手段２０は、フィルタ処理が施されたキャプチャ画像上の特定除外ポイントの色彩情報に基づいて、当該キャプチャ画像がステータス情報を取得すべき画像であるかを判定する。
【００３０】
なお、特定除外ポイントは、画像上の座標位置（Ｘ，Ｙ）として予め設定可能であって、かかる座標位置の色彩情報（ＲＧＢデータ）を画像判定手段２０が取得し、かかる色彩情報（ＲＧＢデータ）が除外色（特定範囲のＲＧＢ成分）である場合には、ステータス情報を取得すべき画像でないと判定される。
【００３１】
色彩情報取得手段３０は、画像判定手段２０によりキャプチャ画像がステータス情報を取得すべき画像と判定された場合に、当該キャプチャ画像の特定ポイントの色彩情報を取得する。
【００３２】
なお、色彩情報取得手段３０による（キャプチャ画像上の）特定ポイントの色彩情報の取得手法については、詳細を後述する。
【００３３】
ステータス変換手段４０は、色彩情報取得手段３０により取得された特定ポイントの色彩情報（ＲＧＢデータ）を変換テーブル等によりステータス情報（『在室』，『空室』，『清掃』，『予約』等）に変換する。
【００３４】
なお、ステータス変換手段４０による色彩データからステータス情報への変換は、ステータスのコード情報へ変換であってもよい。
【００３５】
ステータス情報送信手段５０は、ステータス変換手段４０により変換されたステータス情報（『在室』，『空室』，『清掃』，『予約』等）をインターネット等のネットワークＮＷを介して外部サーバ等に送信する。
【００３６】
以上の構成において、ステータス判定システム１は、例えば、ＣＰＵ（Central Processing Unit）、ＲＯＭ（Read Only memory）、ＲＡＭ（Random Access Memory）等のハードウェアにより構成され、上記処理手段１０〜５０による処理を実行するプログラムをメモリ（不図示）に記憶保持し、そのプログラムを実行することにより、上記制御処理を実行するための演算装置（シーケンサ）として機能する。
【００３７】
次に、図２を参照して、以上のように構成されたステータス判定システム１によるステータス情報の取得処理方法について説明する。
【００３８】
まず、ステータス判定システム１は、画像取得手段１０により、アダプタ装置Ｗを介して、モニタＸ上の画面をキャプチャした画像（実際には、一定周期でキャプチャした連続画像）として取得する（ＳＴＥＰ１０／図２）。
【００３９】
次に、ステータス判定システム１は、画像処理手段１５により、ＳＴＥＰ１０で取得したキャプチャ画像に対してフィルタ処理を施し、キャプチャ画像を特定色数のＲＧＢデータへ変換する（ＳＴＥＰ１５／図２）。
【００４０】
次いで、ステータス判定システム１は、画像判定手段２０により、ＳＴＥＰ１５でフィルタ処理を施したキャプチャ画像（ＲＧＢＡデータ変換済み）に対して、そのキャプチャ画像（正確には、連続するキャプチャ画像の１つのフレーム画像）がステータス情報を取得すべき画面であるか判定する（ＳＴＥＰ２０／図２）。
【００４１】
具体的に、画像判定手段２０は、図３Ａおよび図３Ｂに示す、特定除外ポイント（ＩＩＩ）の色彩情報を取得し、取得した色彩情報（ＲＧＢデータ）が、除外色（特定範囲のＲＧＢ成分）であるか判定し、除外色（特定範囲のＲＧＢ成分）でない場合には、ステータス情報を取得すべき画面であると判定する（ＳＴＥＰ２０でＹＥＳ／図２）。
【００４２】
例えば、図３Ａの場合には、特定除外ポイント（ＩＩＩ）の色彩情報には、他の操作画面等に特徴的な除外色がないため、ステータス情報を取得すべき画面であると判定される。
【００４３】
一方、画像判定手段２０は、特定除外ポイント（ＩＩＩ）の色彩情報（ＲＧＢデータ）が、除外色（特定範囲のＲＧＢ成分）である場合には、ステータス情報を取得すべき画像ではないと判定する（ＳＴＥＰ２０でＮＯ／図２）。
【００４４】
例えば、図３Ｂの場合には、特定除外ポイント（ＩＩＩ）の色彩情報には、他の操作画面等に特徴的な除外色が含まれるため、ステータス情報を取得すべき画像でないと判定される。
【００４５】
このように、特定除外ポイントの色彩情報に基づいて、当該モニタ画面の画像がステータス情報を取得すべき画像であるか判定することで、ステータス判定を行うべき画像を簡易かつ確実に特定することができる。
【００４６】
なお、特定除外ポイントは、画像上の座標位置（Ｘ，Ｙ）として予め設定可能であるが、特定除外ポイントは、１点であってもよいが、判定精度を向上させるためには、複数の特定除外ポイントを設定し、複数の特定除外ポイントに色彩情報に基づいて、ステータス情報を取得すべき画像であるか判定することが好ましい。
【００４７】
これにより、例えば、複数の特定ポイントの色彩情報の１部に除外色が含まれていればこれをステータス情報を取得すべき画像ではないと判定することができ、他の操作画面が画像上の一部に重畳的に表示されている場合にも、これを確実に除外することができる。
【００４８】
次に、画像判定手段２０により、キャプチャ画像がステータス情報を取得すべき画面であると判定された場合には（ＳＴＥＰ２０でＹＥＳ／図２）、色彩情報取得手段３０により、キャプチャ画像の特定ポイントの色彩情報を取得する（ＳＴＥＰ３０／図２）。例えば、図３Ａの場合には、特定ポイント（Ｉ），（ＩＩ）の色彩情報を取得する。
【００４９】
一方で、画像判定手段２０により、キャプチャ画像がステータス情報を取得すべき画面でないと判定された場合には（ＳＴＥＰ２０でＮＯ／図２）、ＳＴＥＰ１０にリターンする。
【００５０】
ここで、色彩情報取得手段３０は、予め２０１号室および２０２号室に対応する特定ポイント（Ｉ）および（ＩＩ）として設定された画像上の座標位置（Ｘ，Ｙ）の画素（ピクセル）の色彩情報（ＲＧＢデータ）に加えて、その周囲の画素の色彩情報（ＲＧＢデータ）を取得する。
【００５１】
例えば、色彩情報取得手段３０は、特定ポイントの座標位置（Ｘｎ，Ｙｎ）の色彩情報に加えて、これを取り囲む（Ｘｎ−１，Ｙｎ−１）、（Ｘｎ，Ｙｎ−１）、（Ｘｎ＋１，Ｙｎ−1），（Ｘｎ−１，Ｙｎ），（Ｘｎ＋１，Ｙｎ）、（Ｘｎ−１，Ｙｎ＋１）、（Ｘｎ，Ｙｎ＋１）、（Ｘｎ＋１，Ｙｎ＋１）の８点の画素の色彩情報（ＲＧＢデータ）も取得する。
【００５２】
次に、色彩情報取得手段３０は、取得した特定ポイントおよびその周囲の色彩情報（ＲＧＢデータ）に対して、色彩情報処理を施す（ＳＴＥＰ３５／図２）。
【００５３】
ここでの色彩情報処理は、取得した特定ポイントおよびその周囲の色彩情報（ＲＧＢデータ）から、その特定ポイントの色彩（ＲＧＢ）を総合的に決定するものである。
【００５４】
例えば、ＳＴＥＰ３０で、特定ポイントの座標位置（Ｘｎ，Ｙｎ）の色彩情報に加えて、これを取り囲む（Ｘｎ−１，Ｙｎ−１）、（Ｘｎ，Ｙｎ−１）、（Ｘｎ＋１，Ｙｎ−1），（Ｘｎ−１，Ｙｎ），（Ｘｎ＋１，Ｙｎ）、（Ｘｎ−１，Ｙｎ＋１）、（Ｘｎ，Ｙｎ＋１）、（Ｘｎ＋１，Ｙｎ＋１）の８点の画素の周辺色彩情報（ＲＧＢデータ）を取得している場合には、これら９点の色彩情報（ＲＧＢデータ）を平均化した平均色（ＲＧＢ）を算出する。
【００５５】
このように、予め設定した特定ポイントの座標位置の特定色彩情報のみならず、これを取り囲む周辺座標の周辺色彩情報を取得して、特定色彩情報と周辺色彩情報とに基づいて次のステータス情報への変換を行うことで、例えばアナログ画面等で生じる色にじみがあっても、周辺色彩情報で補完して確実にステータス情報への変換を行うことができる。
【００５６】
次に、ステータス変換手段４０は、ＳＴＥＰ３５で色彩情報処理が施された特定ポイントの色彩情報（ＲＧＢデータ）をステータス情報（『在室』，『空室』，『清掃』，『予約』等）に変換する（ＳＴＥＰ４０／図２）。
【００５７】
具体的には、色彩情報（ＲＧＢデータ）からステータス情報への変換は、変換テーブルにより実行される。
【００５８】
例えば、変換テーブルは、色彩情報（ＲＧＢデータ）に応じて、赤色の場合には宿泊、黄色の場合には休憩、青色の場合には空室、緑色の場合には清掃中、水色の場合には清掃待ち、桃色の場合は誘導・会計のように対応関係が形成されている。
【００５９】
さらに、変換テーブルは、上述のように１段階の変換テーブルでもよいが、一旦変換したステータスを２段階で再変換するようにしてもよい。例えば、２段階の再変換テーブルは、宿泊と休憩との場合は併せて在室、清掃中と清掃待ちとの場合は併せて清掃中のように対応関係が形成される。
【００６０】
これにより、ステータスの種類を少なくすることができ、外部送信する際にその種類を限定することができる。
【００６１】
例えば、図３Ａの場合には、かかる変換テーブルにより、２０１号室に対応する特定ポイント（Ｉ）については、（画像上緑色の領域であり）、対応するステータスとして『清掃』またはそのコード情報に変換される。同様に、２０２号室に対応する特定ポイント（ＩＩ）については、（画像上赤色の領域であり）、対応するステータスとして『在室』またはそのコード情報に変換される。
【００６２】
なお、ステータス変換手段４０は、そのキャプチャ画像（正確には、連続するキャプチャ画像の１つのフレーム画像）に対してステータス情報への変換を行ってもよいが、ステータス情報がフレーム周期で生成されることから、連続するキャプチャ画像（例えば１０フレーム）の特定ポイント（Ｉ），（ＩＩ）が同一の場合にのみ、ステータス変換処理を実行するようにすることが好ましい。
【００６３】
また、本実施形態では、特定色彩（赤色、黄色、青色、・・）から変換テーブルにより対応するステータスへ変換を行ったが、これに限定されるものではなく、色値の差による比較検査方法を適用してよい。
【００６４】
この場合、色のバラツキ成分（２５５段階）で認める閾値をAとし、判定用テーブルのRGBの各成分をRC・GC・BCとし、取得したRGB値の各成分をR・G・Bとする。
【００６５】
そして、
(R+A) < RC
(R-A) > RC
(G+A) < GC
(G-A) > GC
(B+A) < BC
(B-A) > BC 
の６個の条件がすべて真の場合に、取得したRGBは判定用テーブルRGBに一致すると判定して変換を行うようにしてもよい。これにより、論理式の演算のみであるため、処理を高速化させることができる。
【００６６】
最後に、ステータス情報送信手段５０は、ＳＴＥＰ４０により変換されたステータス情報（『在室』，『空室』，『清掃』，『予約』等）またはそのコード情報を特定ポイント（２０１号室、２０２号室）と関連付けてインターネット等のネットワークＮＷを介して外部サーバ等に送信し（ＳＴＥＰ５０／図２）、ＳＴＥＰ１０にリターンする。
【００６７】
以上がステータス判定システム１によるステータス情報の取得処理方法の詳細であり、かかるステータス判定システム１によれば、モニタＸの画面からその画面上のステータス情報を簡易かつ確実に取得することができる。
【００６８】
なお、本実施形態では、判定対象となるモニタＸの画面として、宿泊施設におけるフロントコンピュータＹの画面の例について説明したが、これに限定されるものではない。
【００６９】
例えば、各種制御システムにおけるモニタ画面や、駐車場の駐車区画やホール内の座席を撮影したカメラの撮像画像等に適用することができる。
【００７０】
また、本実施形態では、ＳＴＥＰ３５で特定ポイントおよびその周囲の色彩情報（ＲＧＢデータ）に対して色彩情報処理を施す場合について説明したが、これに限定されるものではなく、画像処理手段１５により、（１）ＳＴＥＰ１５のフィルタ処理を施すと共に、（２）フィルタ処理後の画像に対して、予め（ｉ）特定ポイントおよびその周囲の色彩情報に加えて、（ｉｉ）特定除外ポイントおよびその周囲の色彩情報を取得し、それぞれについて色彩情報処理を施すようにしてもよい。
【００７１】
この場合、ＳＴＥＰ３５の色彩情報処理を画像処理手段１５によるフィルタ処理と併せて一括して行うことになり、処理効率を向上させることができると共に、特定除外ポイントによるＳＴＥＰ２０のステータス情報を取得すべき画面であるか否かの判定精度を向上させることができる。
【符号の説明】
【００７２】
１…ステータス判定システム、１０…画像取得手段、２０…画像判定手段、３０…色彩情報取得手段、４０…ステータス変換手段、５０…ステータス情報送信手段、Ｘ…モニタ画面、Ｙ…フロントコンピュータ、Ｚ…モニタケーブル、Ｗ…アダプタ装置、ＮＷ…ネットワーク。
【要約】
【課題】モニタ画面からその画面上のステータス情報を簡易かつ確実に取得することができるステータス判定システムを提供する。
【解決手段】ステータス判定システム１は、モニタＸの画面をアダプタ装置Ｗを介してキャプチャして画像として取得する画像取得手段１０と、該画像がステータス情報を取得すべき画像であるか判定する画像判定手段２０と、該画像がステータス情報を取得すべき画像と判定された場合に、該画像の特定ポイントの色彩情報を取得する色彩情報取得手段３０と、取得した特定ポイントの色彩情報をステータス情報に変換するステータス変換手段４０とを備える。
【選択図】図１【図１】
0005818050.tif 000002
【図２】
0005818050.tif 000003
【図３】
0005818050.tif 000004